(57)【要約】  経皮的な薬物送達用の電気輸送デバイスは、ある数の電極及びある数の電極へ駆動の信号を供給するための駆動の回路部品を有する。電極は、行及び列において駆動の回路部品へ接続される。駆動の回路部品は、電極の行へ行信号を供給するための行駆動の回路部品、及び、電極の列へ列信号を供給するための列駆動の回路部品を有する。予め決められた電極は、電極の対応する行への行信号及び電極の対応する列への列の信号を供給することによって個々にアドレス可能なものである。
2009540906.tif 000002
【特許請求の範囲】
【請求項１】
経皮的な薬物送達用の電気輸送デバイスであって、
前記電気輸送デバイスは、ある数の電極及び前記ある数の電極へ駆動の信号を供給するための駆動の回路部品を備えること、
前記電極は、行及び列において前記駆動の回路部品へ接続されること、
前記駆動の回路部品は、
−  電極の行へ行信号を供給するための行駆動の回路部品；及び
−  電極の列へ列信号を供給するための列駆動の回路部品
：を備えること、
予め決められた電極は、電極の対応する行への行信号及び電極の対応する列への列信号を供給することによって個々にアドレス可能なものであること
を含む、電気輸送デバイス。
【請求項２】
請求項１に記載の経皮的な薬物送達用の電気輸送デバイスであって、
前記電気輸送デバイスは、薬物送達素子のアレイを備えると共に、
前記薬物送達素子のアレイは、
−  少なくとも一つの陽極の区画；
−  少なくとも一つの陰極の区画；
−  少なくとも一つの動力源；
：を備えること、
前記ある数の電極は、少なくとも一つの陽極及び少なくとも一つの陰極を提供するために前記少なくとも一つの陽極の区画及び前記少なくとも一つの陰極の区画にわたって分配されること並びに前記陽極及び前記陰極の間における電流を発生させるための前記動力源へ接続可能なものであること；並びに
電極の少なくとも一つの予め決められた対は、陽極及び陰極を備えること、薬物送達素子の対応する行への行信号及び薬物送達素子の対応する列への列信号を供給することによってアドレス可能なものであること
を含む、電気輸送デバイス。
【請求項３】
請求項２に記載の電気輸送デバイスであって、
前記電気輸送デバイスは、単一の陽極及びある数の陰極、又は、単一の陰極及びある数の陽極を備える、電気輸送デバイス。
【請求項４】
請求項２に記載の電気輸送デバイスであって、
各々の薬物送達素子は、制御スイッチを備える制御回路部品を備えると共に、
前記制御スイッチは、それぞれ、前記薬物送達素子の前記制御回路部品へ制御信号としての列信号を提供することを可能とする又は可能としないための、導電性のもの又は非導電性のものに前記制御スイッチを切り替えるためのアドレス信号としての行信号によってアドレス可能なものであること
を含む、電気輸送デバイス。
【請求項５】
請求項４に記載の電気輸送デバイスであって、
前記列信号は、動力信号である、電気輸送デバイス。
【請求項６】
請求項４に記載の電気輸送デバイスであって、
前記薬物送達素子の前記制御回路部品は、前記薬物送達素子が、アドレス指定されないとき、制御信号を蓄積する及び前記薬物送達素子が能動的なものであることを可能とするための記憶素子を備える、電気輸送デバイス。
【請求項７】
請求項４に記載の電気輸送デバイスであって、
前記薬物送達素子の前記制御回路部品は、前記動力源へ接続可能な及び制御信号に対する応答において前記電流源素子が前記薬物送達素子の動作可能に接続された電極へ電流信号を供給するというように前記制御スイッチへ動作可能に接続された電流源素子を備える、電気輸送デバイス。
【請求項８】
請求項７に記載の電気輸送デバイスであって、
前記電気輸送デバイスは、大きい面積の電子機器デバイスとして形成される、電気輸送デバイス。
【請求項９】
請求項８に記載の電気輸送デバイスであって、
前記電流源素子は、トランジスタとして形成されると共に、
前記制御回路部品は、各々の薬物送達素子の前記制御回路部品の前記トランジスタの間における閾値電圧のランダムな変動を補償するための閾値電圧補償回路を備える、電気輸送デバイス。
【請求項１０】
請求項８に記載の電気輸送デバイスであって、
前記電流源素子は、トランジスタとして形成されると共に、
前記制御回路部品は、各々の薬物送達素子の前記制御回路部品の前記トランジスタの間における移動度因子のランダムな変動を補償するための移動度因子補償回路を備える、電気輸送デバイス。
【請求項１１】
請求項２に記載の電気輸送デバイスであって、
前記少なくとも一つの陽極の区画及び／又は前記少なくとも一つの陰極の区画は、解放可能に薬物を保持するためのある数のリザーバを備えると共に、各々のリザーバは、前記陽極の区画又は前記陰極の区画へ前記薬物を解放するための各々のリザーバの個々の制御を可能とする少なくとも一つの電極へ接続されること
を含む、電気輸送デバイス。
【発明の詳細な説明】
【技術分野】
【０００１】
本発明は、経皮的な薬物送達に関係する。特に、本発明は、皮膚を通じて薬物を送達させるためのイオン泳動的な電気輸送デバイスに関係する。
【背景技術】
【０００２】
経皮的な薬物送達は、伝統的な経口的な又は注入／注射投与を超えるある数の利点を備えた薬物投与の有効な方法である。経皮的な薬物送達については、物質の浸透に対する皮膚の障壁を克服することは、必要なことである。さらに、障壁は、安全な及び可逆的な方式で克服されるべきである。経口的な又は注入／注射投与を超える経皮的な薬物送達の上に述べられた利点は、数ある中で、胃腸の災難を回避すること；肝臓の初回通過効果を回避すること；短い治療的な半減期を備えた薬物の有効な使用を許容すること；制御された及び持続された薬物送達を可能とすること；不利な反応の場合における急速な中止を許容すること；並びに増加させられた患者の応諾を含む。
【０００３】
現行で利用可能な経皮的な生産物の圧倒的な大多数は、受動的なパッチ及びゲルである。しかしながら、拡張された範囲の薬物を経皮的に送達させることの医療の必要性は、受動的なパッチから制御された薬物送達を能動的に可能とするデバイスへのシフトを要求する。能動的な送達技術は、もしかすると閉じられたループシステムにおける、制御された（例．時限式の）薬物送達用の高性能な電子機器の使用を潜在的に可能とする。
【０００４】
知られた能動的な送達方法は、イオン泳動である。イオン泳動においては、電場は、皮膚障壁を横切って（一次的に帯電させられた）薬物分子の輸送を向上させるために使用される。図１において、先行技術のイオン泳動的なデバイス１は、図解される。イオン泳動的なデバイス１は、皮膚ＳＫに置かれる電流源ＣＳ、陽極の電極区画ＡＮ、及び陰極の電極区画ＣＡからなる。区画ＡＮ、ＣＡは、相互に分離される。薬物Ｄ＋及びそれの対イオンＡ−を備えた処方は、電極区画の一方に、図解された事例においては陽極の区画ＡＮに、特に同じ電荷を帯びる区画に、置かれる。
【０００５】
一般的に使用された電極対は、図解されるような、Ａｇ／ＡｇＣｌ対である。Ａｇ陽極で起こる電気化学は、陽極の区画における処方においてＣｌ−イオンの存在を要求する。これらのイオンは、処方へのＮａＣｌ分子の追加によって提供されることがある。陽極の区画ＡＮに存在するＣｌ−イオンは、電子ｅ−を解放する一方で、ＡｇＣｌを形成するためにＡｇ分子と反応する。陽極の区画ＡＮにおける電気的中性を維持する為には、陽イオンは、陽極の区画ＡＮの中から及び皮膚ＳＫの中へ移動するものでなければならない、又は、陰イオンは、皮膚ＳＫを離れると共に陽極の区画ＡＮに入るものでなければならない、のいずれかである。
【０００６】
陰極ＣＡでは、ＡｇＣｌは、金属性のＡｇを形成するために電流源ＣＳからの電子によって還元されると共にＣｌ−イオンは、陰極の区画ＣＡに存在する処方において解放される。再度、陰極の区画における電気的中性を維持するために、陰イオンは、陰極の区画ＣＡの中から及び皮膚ＳＫの中へ移動することを必要とする、又は、陽イオンは、陰極の区画ＣＡに入ることを必要とする、のいずれかである。電気的な回路は、皮膚ＳＫに存在するイオン、主としてＮａ＋及びＣｌ−、によって完了させられる。
【０００７】
電流Ｉが、電流源ＣＳによって印加されるとき、電場は、陽極の区画ＡＮから皮膚ＳＫを通じて陰極の区画ＣＡに向かって正に帯電させられた分子Ｎａ＋、Ｄ＋を駆動する。負に帯電させられた分子Ｃｌ−、Ａ−は、反対の方向に駆動される。
【０００８】
合計の電気泳動的なフラックスは、二つの輸送機構：電気移動及び電気浸透によって形成される。電気移動は、電場の存在におけるイオンの移動を指すと共に、印加された電流の密度に比例するものである。電気浸透は、電流の流動によって誘起された体積の流動を指す。分子のレベルでは、電気浸透は、皮膚ＳＫが約４の等電点（ｐＩ）を有するという事実から結果として生じるものとして考察されることができる。その結果として、皮膚ＳＫは、生理学的な酸性度（ｐＨ値）で負に帯電させられたものになる。このような帯電させられた膜を横切った電場の印加は、皮膚の事例においては、それの陽イオン透過選択性を生じさせる、膜電荷を中和する為に、対イオンの移動に有利である。これは、次には、陽極から陰極への方向における溶媒の流動に帰着する。これは、（ｉ）陽イオンが、電気移動に追加で第二の駆動の力から利益を得ると共に（ｉｉ）中性の分子が、陽極のイオン泳動によって送達させられることができることを意味する。
【０００９】
知られたイオン泳動的なデバイスは、固体の間における皮膚のインピーダンスにおける差異にかかわらず電流が望まれたレベルに保たれることを保証するために一定の電流源によって動力が供給される。皮膚刺激が、印加された電流の電流密度に関係することは、このようなイオン泳動的なデバイスにおいて見出されてきたことである。２００μＡ／ｃｍ２の電流密度の閾値より下の電流密度は、非刺激性のものであるとして一般に考慮される。その電流密度の閾値より上の電流密度は、しばしば、皮膚刺激に帰着する。５００μＡ／ｃｍ２の電流密度より上で、痛みは、典型的には、気づかれる。皮膚のインピーダンスにおける相当な変動のおかげで、通常では皮膚のより導電性のエリアにおける皮膚刺激又は火傷を引き起こすものである、１０から１までのものと同程度に高い電流密度における変動が、起こることがあることは、見出されてきたことである。
【００１０】
この問題を克服するために、イオン泳動的なデバイスにおいて電極のアレイを使用ことは、例．米国特許第５，３１０，４０３号明細書及び米国特許第４，２１１，２２２号明細書から、知られたことである。このようなデバイスにおいては、電極の少なくとも一つは、ある数の区分された電極を備える。数ある中で、米国特許第４，２１１，２２２号明細書は、従来の電極アレイ、例．複数の正の及び負の電極、の使用を開示する。しかしながら、これらの電極は、過度の電流が、他のエリアと比べて顕著により低い皮膚のインピーダンスを有する皮膚のエリアに接触する電極の部分から皮膚を通じて引き出されることを予防するものではない。
【００１１】
米国特許第５，３１０，４０３号明細書は、印加された電流の電流密度が電極の全体のエリアにわたって実質的に一定のままである電極の対を有するイオン泳動的なデバイスを開示する。デバイスは、少なくとも一つの区分された電極及び電流送達回路を備える。しかしながら、このように感電の方法を限定するものである、各々の分割された電極当たりに形成された一定の電流回路は、装置の構築を複雑なものとすると共に費用の問題を提起する。
【００１２】
先行技術の問題は、一つの外部の電気的な接続が、局所的な電流密度を制御するために各々の電極（又は電極の組み）に要求されるというものである。その結果、単一のデバイスにおいて実現されることができる区画の数が、電気的な接続に要求された空間が禁制になる際に限定されるので、区画の数は、限定される。
【００１３】
区分された電極及び対応する電流送達回路部品の使用の他に、電流の印加されたレベルと関連させられた体の刺激を低減するための抗炎症剤の送達によって電気輸送送達の間における皮膚刺激を低減することは、また知られたことである。この目的のために、複数の薬物リザーバ（区画）の使用は、知られる。
【００１４】
さらに、薬物及び抗炎症剤の送達の他に、多数のタイプの薬物及び／又は化学的な皮膚浸透エンハンサーを解放することは、また望まれたことである。よって、皮膚刺激を低減するための区分された電極についての必要性の他に、並行して個々に制御可能なものであるリザーバ／区画のアレイは、また、一つと比べてより多い化学物質を解放することの可能性を提供するために望まれる。
【特許文献１】米国特許第５，３１０，４０３号明細書
【特許文献２】米国特許第４，２１１，２２２号明細書
【発明の開示】
【発明が解決しようとする課題】
【００１５】
本発明の目的は、電気輸送デバイス、特に、相対的に大きい数の個々に制御可能な区画を有する、イオン泳動的な経皮的な薬物送達デバイス、を提供するということである。
【課題を解決するための手段】
【００１６】
ある態様において、本発明は、経皮的な薬物送達用の電気輸送デバイスを提供するが、電気輸送デバイスは、ある数の電極及びある数の電極へ駆動の信号を供給するための駆動の回路部品を備えるものであると共に、電極は、行及び列において駆動の回路部品へ接続されると共に、駆動の回路部品は、予め決められた電極が、電極の対応する行への行信号及び電極の対応する列への列信号を供給することによって個々にアドレス可能なものであるというように、電極の行へ行信号を供給するための行駆動の回路部品；及び電極の列へ列信号を供給するための列駆動の回路部品：を備えるものである。電気輸送デバイスが、第二の数の電極（即ち、マトリックスの形態で接続されることを必要とするものではない共通の電極又は他の電極）をさらに具備することがあることは、観察されたことである。
【００１７】
ある実施形態において、本発明は、経皮的な薬物送達用の電気輸送デバイスを提供する。電気輸送デバイスは、薬物送達素子のアレイ及び駆動の回路部品を備える。薬物送達素子のアレイは、少なくとも一つの陽極の区画；少なくとも一つの陰極の区画；少なくとも一つの電流源；並びに、少なくとも一つの陽極及び少なくとも一つの陰極を提供するための少なくとも一つの陽極の区画及び少なくとも一つの陰極の区画にわたって分配される並びに陽極及び陰極の間に電流を発生させるための動力源へ接続可能なものであるある数の電極を備える。駆動の回路部品は、ある数の電極へ駆動の信号を供給するために構成される。電極は、行及び列における駆動の回路部品へ接続される。駆動の回路部品は、電極の行へ行信号を供給するための行駆動の回路部品及び電極の列へ列信号を供給するための列駆動の回路部品を備える。陽極及び陰極を備える、電極の予め決められた対は、電極の対応する行への行信号及び電極の対応する列への列信号を供給することによってアドレス可能なものである。
【００１８】
本発明に従った電気輸送デバイスにおいて、薬物送達素子のアレイの各々の薬物送達素子には、制御回路部品へそれを接続するワイヤの別個の組みが提供された、先行技術とは違って、薬物送達素子は、行及び列において動作可能に配置される。単一の行への行信号及び単一の列への列信号を供給することによって、前記の単一の行及び前記の単一の列の両方の部分である単一の薬物送達素子のみが、アドレス指定される。このように、各々の薬物送達素子は、個々に制御可能なものである。
【００１９】
電極の行が、一つの又はより多くの電極を備えることがあると共に電極の列が、一つの又はより多くの電極を備えることがあることは、留意されることである。さらに、機能的には、行及び列は、相互に交換可能なものである。そのように、電気輸送デバイスの機能が、行又は列に関係して記載される又は請求されるとき、機能は、同様に、それぞれ、列又は行によって提供されることがある。
【００２０】
このように、本発明に従った電気輸送デバイスは、マトリックスの技術、及び、好ましくは例．表示デバイス（ＬＣＤ）において液晶のアレイを駆動するという技術において、知られるようなアクティブマトリックスのトポロジーを用いる。本発明に従った電気輸送デバイスは、当技術において知られたもののような、ａ−Ｓｉ、ＬＴＰＳ、又は有機のトランジスタ技術というような、大きい面積の電子機器技術を使用することで製造されることがある。ガラス又は適切なプラスチックというような、様々な基体は、使用されることがある。特に、ＥＰＬＡＲと称された知られた製造の工程は、患者の皮膚における使用に好都合なものである、フレキシブルな基体又は等角の基体における電気輸送デバイスを製造するために使用されることがある。
【００２１】
本発明に従った電気輸送デバイスは、１０３個−１０６個のオーダーの数というような、大きい数の個々に制御可能な電極を有する電気輸送デバイスを可能とする。大きい数の個々に制御可能な電極は、薬物送達素子の陽極又は陰極のような電極当たりの電流密度を制御することによって薬物送達率制御を可能とする。個々に制御可能な電極は、実質的に同じ量の電流が、患者の皮膚のインピーダンスと独立に、各々の電極を通じて流れるというように、使用されることがある。
【００２２】
アクティブマトリックスのトポロジーは、有効なデバイスエリア、即ち、合計のデバイスエリアに関して現実の薬物送達に使用されたデバイスのエリアが、増加させられることを許容するが、それは、電流密度における増加が、皮膚刺激を引き起こすことがあるので、薬物送達の率が、電流密度の代わりに接触エリアを増加させることによってこのように改善されることがある際に、好都合なことである。
【００２３】
ある実施形態においては、陽極の区画及び／又は陰極の区画は、解放可能に薬物を保持するためのある数のリザーバを備える。各々のリザーバは、それぞれの区画へと薬物を解放するための各々のリザーバの個々の制御を可能とする少なくとも一つの電極へ接続される。このように、抗炎症剤、浸透エンハンサーというような、ある数の異なる薬物及び／又は他の化学物質は、ある数の個々のリザーバ、即ち、解放区画、から解放されることがある。リザーバを制御するためのある数の技術は、利用可能なものである。例えば、密閉された体積の化学物質をシールする薄い蓋は、電圧ポテンシャル又は電流を使用することで開かれることがある。あるいは、リザーバは、スポンジに類似して、関心のある化学物質を保持する、化学的に架橋された高分子電解質（例．ポリアクリル酸塩）というような、ゲルを備えることがある。電圧又は電流信号の印加の際に、ゲルは、それが、送達のための陽極の又は陰極の区画において利用可能なものになるというように、少なくとも化学物質の部分を解放するために‘圧迫された’ものであることがある。電気分解が、電極の近くで起こることができる際に、ＡＣの電場は、好ましいことである。別の機械は、温度変動における溶媒／重合体の相互作用パラメーターの変動であるが、それは、次には、電圧又は電流信号の印加によって引き起こされることがある。典型的には、ゲルが、温度の増加の際に解膨潤すると共に溶媒を追い出す上部臨界完溶温度（upper  critical  solution  temperature）（ＵＣＳＴ）の架橋された重合体システムは、使用される。このように、電気的な信号は、解放される化学物質の量を決定することがある。
【００２４】
アクティブマトリックスのトポロジーは、同様に、薬物送達を制御するためのパルス化された電圧、又は、電流の源又は電場又は電流というような電気的なエネルギーが、患者の体の中への若しくは患者の体の中からの化学物質若しくは流体の経皮的な輸送を促進させるために使用される経皮の電極アレイを使用することで、電気輸送デバイスというような、相対的に大きい数の電極を備える他の種類の電気輸送デバイスにおいて好都合に用いられることがある。
【発明を実施するための最良の形態】
【００２５】
以後に、本発明及びさらなる好都合な特徴が、限定するものではない実施形態を図解する添付された図面を参照して、より詳細に記載されると共に解明されるが、それにおいて、
図１は、先行技術のイオン泳動的なデバイスを概略的に示す；
図２Ａ−２Ｂは、本発明に従った電気輸送デバイスの、相対的に、第一の及び第二の実施形態の上面図を概略的に示す；
図２Ｃ−２Ｄは、それぞれ、図２Ａ−２Ｂに従った電気輸送デバイスの第一の及び第二の実施形態の断面図を概略的に示す；
図３Ａ−３Ｂは、本発明に従った電気輸送デバイスの、それぞれ、第三の及び第四の実施形態の上面図を概略的に示す；
図３Ｃ−３Ｄは、それぞれ、図３Ａ−３Ｂに従った電気輸送デバイスの第三の及び第四の実施形態の断面図を概略的に示す；
図４は、本発明に従った電気輸送デバイスにおける使用のためのアクティブマトリックスのトポロジーを概略的に図解する；
図５は、図４に従ったアクティブマトリックスのトポロジーにおける使用のための制御回路の第一の実施形態を概略的に図解する；
図６は、図４に従ったアクティブマトリックスのトポロジーにおける使用のための制御回路の第二の実施形態を概略的に図解する；
図７は、図４に従ったアクティブマトリックスのトポロジーにおける使用のための制御回路の第三の実施形態を概略的に図解する；
図８は、図４に従ったアクティブマトリックスのトポロジーにおける使用のための制御回路の第四の実施形態を概略的に図解する；
図９Ａは、本発明に従った電気輸送デバイスの第五の実施形態の上面図を概略的に示す；及び
図９Ｂは、図９Ａに従った電気輸送デバイスの第五の実施形態の断面図を概略的に示す。
【００２６】
図面において、同様の符号は、同様の構成要素を指す。図１は、上に詳細に記載されたような先行技術のイオン泳動的なデバイス１を図解する。以下において、本発明は、イオン泳動的なデバイス１を参照して解明される。しかしながら、本発明、特にアクティブマトリックスのトポロジーの使用は、上に述べられたように、他の電気輸送デバイスへもまた適用可能なことである。
【００２７】
図２Ａは、陽極の区画ＡＮ及び陰極の区画ＣＡの上面図を示す。陽極の及び陰極の区画ＡＮ、ＣＡは、図１に図解されたようなイオン泳動的なデバイスの第一の実施形態の部分である。各々の区画ＡＮ、ＣＡは、ある数の電極ＥＬを備える。図２Ｃは、断面側面図における及び患者の皮膚ＳＫに位置決めされた第一の実施形態を示す。
【００２８】
図２Ｂは、陽極の区画ＡＮ及び陰極の区画ＣＡの上面図を示す。陽極の及び陰極の区画ＡＮ、ＣＡは、図１に図解されたようなイオン泳動的なデバイスの第二の実施形態の部分である。陽極の区画ＡＮは、ある数の電極ＥＬを備える。陰極の区画は、陽極の区画ＡＮにおいて位置決めされた各々の陽極の電極ＥＬのための陰極として機能する一つの電極ＥＬを備える。図２Ｄは、断面側面図における及び患者の皮膚ＳＫに位置決めされた第二の実施形態を示す。同様にして、陰極の区画ＣＡが、ある数の電極ＥＬを備えることがあると共に陽極の区画ＡＮが、単一の電極ＥＬを備えることは、留意されることである。
【００２９】
図２Ａ−２Ｄの実施形態において、送達される化学物質は、区画ＡＮ、ＣＡの少なくとも一つに存在するものである。電極ＥＬの数は、例えば、上に述べられたように、薬物送達率及び／又は電流密度の制御を可能とするために、提供されることがある。この目標のために、各々の電極ＥＬは、電流を発生させる又は電流を発生させないために個々に制御可能なものである。
【００３０】
図３Ａは、陽極の区画ＡＮのアレイ及び（図面に示されたものではない（？））陰極の区画ＣＡのアレイの上面図を示す。陽極の及び陰極の区画ＡＮ、ＣＡは、図１に図解されたようなイオン泳動的なデバイスの第三の実施形態の部分である。各々の区画ＡＮ、ＣＡは、少なくとも一つの電極ＥＬを備える。図３Ｃは、断面側面図における及び患者の皮膚ＳＫに位置決めされた第三の実施形態を示す。
【００３１】
図３Ｂは、陽極の区画ＡＮのアレイ及び陰極の区画ＣＡの上面図を示す。陽極の及び陰極の区画ＡＮ、ＣＡは、図１に図解されたようなイオン泳動的なデバイスの第四の実施形態の部分である。陽極の区画ＡＮは、各々、少なくとも一つの電極ＥＬを備える。陰極の区画ＣＡは、陽極の区画ＡＮにおいて位置決めされた各々の陽極の電極ＥＬのための陰極として機能する一つの（図解されたようなもの）又はより多くの（図２Ａを比較参照のこと）電極ＥＬを備える。図２Ｄは、断面側面図における及び患者の皮膚ＳＫに位置決めされた第四の実施形態を示す。同様にして、陰極の区画ＣＡが、各々が少なくとも一つの電極ＥＬを備える区画ＣＡのアレイを備えることがあると共に、陽極が、少なくとも一つの電極ＥＬを備える単一の陽極の区画ＡＮにおいて形成されることがあることは、留意されることである。
【００３２】
図３Ａ−３Ｄの実施形態において、送達される化学物質は、区画ＡＮ、ＣＡの少なくとも一つに存在するものである。ある数の陽極の区画ＡＮ及び／又はある数の陰極の区画ＣＡがあるので、ある数の異なる化学物質、例．薬物は、各々の区画において各々の電極の個々の制御によって経皮的に送達されることがある。このように、ある数の区画ＡＮ、ＣＡ及び対応する電極ＥＬは、例えば、上に述べられたように、薬物送達率及び／又は電流密度の制御を可能とするために、及び／又は、異なる薬物の、順次に又は同時に、のいずれかでの、送達の別個の制御を可能とするために、提供されることがある。例えば、第一の薬物は、第二の薬物の送達の後の予め決められた時間の期間で送達されることがある。
【００３３】
図４−８は、より詳細に、アクティブマトリックスのトポロジー及び本発明の実施形態、例．図２Ａ−３Ｄにおいて図解された第四の実施形態、を備えた使用のための制御を図解する。
【００３４】
図４は、選択ドライバー回路ＳＤ、データドライバー回路ＤＤ、並びに、各々が制御回路ＣＣ並びに第一の電極ＥＬ１及び第二の電極ＥＬ２を備える薬物送達素子ＤＤＥを備える、ある数のセルＣＥを備えるアクティブマトリックスのトポロジーの実施形態を示す。各々のセルＣＥは、特に各々の制御回路ＣＣは、ある数の選択ラインＳＬ１−ＳＬ３の一つ及びある数のデータラインＤＬ１−ＤＬ３の一つへ接続される。ある数の選択ラインＳＬ１−ＳＬ３は、互いにセルＣＥ及び選択ドライバー回路ＳＤを接続する。ある数のデータラインＤＬ１−ＤＬ３は、互いにセルＣＥ及びデータドライバー回路ＤＤを接続する。
【００３５】
図解されたもののように、薬物送達素子ＤＤＥは、行及び列において配置される。選択ドライバー回路ＳＤによって発生させられた及び第一の選択ラインＳＬ１に供給された選択信号は、このように、セルＣＥの第一の行の各々の制御回路ＣＣへ供給される。同様にして、データドライバー回路ＤＤによって発生させられた及び第一のデータラインＤＬ１に供給されたデータ信号は、このように、セルＣＥの第一の列の各々の制御回路ＣＣへ供給される。しかしながら、制御回路ＣＣは、選択信号及びデータ信号の両方が、供給されるときのみ、制御回路ＣＣが、現実にデータ信号を受信するというように、設計される。一つのセルＣＥのみが、前記の第一の選択ラインＳＬ１及び前記の第一のデータラインＤＬ１の両方へ接続されるので、前記の一つのセルＣＥのみは、データラインＤＬ１においてデータ信号を受信することになる。このように、各々の薬物送達素子ＤＤＥは、個々にアドレス可能なものである。
【００３６】
ある実施形態において、各々の制御回路ＣＣは、スイッチ素子を備える。スイッチ素子は、対応する選択ラインＳＬにおける選択信号によって動作させられる。このように、選択信号が、対応する選択ラインＳＬへ供給されるとすれば、スイッチ素子は、導電性のものへ切り替えられるが、それによって薬物送達素子ＤＤＥ及び対応するデータラインＤＬの間における電気的な接続を提供するものである。このように、対応するデータラインＤＬに供給されたデータ信号は、薬物送達素子ＤＤＥへ供給される。データ信号は、例えば、薬物送達素子ＤＤＥの第二の電極ＥＬ２へ供給されるための電流であることがある、又は、それは、適切な電圧信号であることがある。同じ選択ラインＳＬへ付けられた他の薬物送達素ＤＤＥが、活動させられることを必要とするものではないとすれば、それらは、ゼロのデータ信号を受信するはずである。スイッチ素子は、例えば、トランジスタ、ダイオード、又はＭＩＭダイオードデバイスであることがある。
【００３７】
さらなる実施形態において、各々の制御回路ＣＣは、例．ＤＲＡＭタイプの回路に配置された、二つのスイッチ素子を備える。一つのスイッチ素子は、対応する第一の選択ラインＳＬにおける選択信号によって動作させられる。別のスイッチ素子は、対応する第二の選択ラインＳＬにおける選択信号によって動作させられる。このように、選択信号が、対応する二つの選択ラインＳＬへ供給されるとすれば、スイッチ素子は、導電性のものに切り替えられるが、それによって薬物送達素子ＤＤＥ及び対応するデータラインＤＬの間における電気的な接続を提供するものである。このように、対応するデータラインＤＬに供給されたデータ信号は、単一の薬物送達素子ＤＤＥへ供給される。データ信号は、例えば、薬物送達素子ＤＤＥの第二の電極ＥＬ２へ供給されるための電流であることがある、又は、それは、適切な電圧信号であることがある。スイッチ素子は、例えば、トランジスタ、ダイオード、若しくはＭＩＭダイオードデバイスである、又はそれらのいずれの組み合わせでもあることがある。
【００３８】
薬物送達素子ＤＤＥは、上に述べられたようなイオン泳動的なシステムというような、（経皮的な）薬物送達のための電気輸送システムを備えると共に、追加のアクチュエートする又は検知するシステムを備えることがある。薬物送達素子ＤＤＥは、また、（図９Ａ−９Ｂに関係して以下に説明されるように）可逆的に又は不可逆的に解放されることができる化学物質（例．薬物）リザーバを備えることがある。イオン泳動の場合において、皮膚が、薬物送達素子ＤＤＥの部分と考慮されることがあることは、留意されることである。薬物送達素子ＤＤＥが、能動的な、例．トランジスタ、ダイオード、又は、受動的な、例．抵抗体、容量、電極の両方であることがある、ある数の構成部品を備えることがあることは、さらに留意されることである。追加で、制御回路が、能動的なもの及び／又は受動的なものであることがある、ある数の構成部品を備えることがあることは、留意されることである。
【００３９】
選択ドライバー回路ＳＤ及び／又はデータドライバー回路ＤＤは、望まれるとすれば、それぞれ、一つの又はより多くの選択ラインＳＬ又はデータラインＤＬへ同時に信号を提供することが可能なものであることがある。ある実施形態において、デマルチプレクサの機能を有するより単純なドライバー回路は、用いられることがある。そして、ドライバー回路、例えば、データドライバー回路ＤＤは、データ信号発生回路及びデマルチプレクサ回路を備えることがある。単一のデータ信号は、デマルチプレクサ回路へ供給されることがある。デマルチプレクサ回路は、データラインＤＬ１−ＤＬ３の一つへ信号の経路を定めるが、それによって選択信号を供給する選択ラインＳＬへ接続された及びデータラインＤＬ１−ＤＬ３の前記の一つへ接続された薬物送達素子ＤＤＥを活動させるのみである。
【００４０】
以上で、データ信号として、各々の薬物送達素子ＤＤＥ用の電気的な信号、即ち、イオン泳動的なシステムの電極ＥＬ２用の電流、を提供することは、考慮されたことである。このように、データドライバー回路ＤＤは、ある時間に単一の薬物送達素子ＤＤＥを活動させることができるのみである。その結果として、同じデータドライバー回路へ付けられた薬物送達素子ＤＤＥは、順次に活動させられることができるのみである。これは、定常的な送達率を維持することを困難なこととする。さらには、駆動の回路が、要求されるとすれば、漏出効果のせいによる電流の喪失無しにデータドライバー回路から薬物送達素子ＤＤＥへ電流をもたらすことは、可能なものではないことがある。
【００４１】
この理由のために、図５に図解されたもののように、制御回路ＣＣの第一の実施形態は、アクティブマトリックスの技術に基づいた集積された電流源を備える。制御回路ＣＣは、第一の選択トランジスタＴ１及び第二のトランジスタＴ２として具現化された局所的な電流源を備える。第一のトランジスタＴ１のゲートは、選択ラインＳＬを通じて選択ドライバー回路ＳＤへ接続される。第一のトランジスタＴ１のソースは、データラインＤＬを通じてデータドライバー回路ＤＤへ接続される。第一のトランジスタＴ１のドレインは、第二のトランジスタＴ２のゲートへ接続される。第二のトランジスタＴ２のソースは、動力供給電圧Ｖｓへ接続される。第二のトランジスタＴ２のドレインは、薬物送達素子ＤＤＥの電極へ接続される。
【００４２】
動力供給電圧Ｖｓから第二のトランジスタＴ２を通じて薬物送達素子ＤＤＥへ流動する電流は、第二のトランジスタＴ２のゲートにおける電圧によって定義される、即ち、トランジスタの相互コンダクタンスは、
Ｉ＝α（Ｖｓ−Ｖｇａｔｅ−Ｖｔ）２          （式１）
によって定義されるが、それにおいて、Ｉは、相互コンダクタンスである、αは、定数である、Ｖｇａｔｅは、第二のトランジスタＴ２のゲートにおける電圧であると共に、Ｖｔは、第二のトランジスタＴ２の閾値電圧である。
【００４３】
動作中に、選択信号が、選択ラインＳＬに供給されるとき、第一のトランジスタＴ１は、導電性のものであるが、それによって、データラインＤＬ及び第二のトランジスタＴ２のゲートを電気的に接続するものである。このように、データラインにおける電圧が、第二のトランジスタＴ２のゲートにおける電圧を決定する際に、第二のトランジスタＴ２を通じた薬物送達素子ＤＤＥへの電流は、データラインＤＬに供給された電圧によって制御されることがある。このように、本実施形態においては、データ信号は、第二のトランジスタＴ２によって薬物送達素子ＤＤＥへ供給されるための電流の量を指し示す電圧信号である。
【００４４】
上に記載された実施形態においては、薬物送達素子ＤＤＥは、選択信号及びデータ信号が供給されるとき、活動させられるのみである。しかしながら、制御回路ＣＣの中へと記憶デバイス、例．容量素子又はトランジスタに基づいた記憶素子、を組み込むことは、好都合なことであるが、それによってアドレス期間が完了させられた後にデータ信号を蓄積することを可能とするものである。このように、アレイを横切ったいずれの点でも、ある数の同時に活動させられた薬物送達素子ＤＤＥを有することは、可能なことである。このような記憶デバイスが、利用可能なものであるとすれば、別個の制御信号は、薬物送達素子ＤＤＥを不活発にすることが要求されることがあることは、留意されることである。さらに、記憶素子を加えることは、薬物送達素子ＤＤＥへ供給された駆動の信号が、より長い時間の間に印加されることを許容するが、それによって、薬物送達率は、より良好に制御されることができる。図６は、このような記憶素子を備える制御回路ＣＣを図解する。
【００４５】
図６において図解されたもののような、第二の実施形態は、容量Ｃ１として具現化された記憶素子を除いては、図５に図解されたもののような、第一の実施形態に実質的に類似のものである。容量Ｃ１の第一の端子は、動力供給電圧Ｖｓへ接続されると共に、容量Ｃ１の第二の端子は、第一のトランジスタＴ１のドレイン及び第二のトランジスタＴ２のゲートへ接続される。
【００４６】
動作中に、アドレス期間の間に、第二のトランジスタＴ２のゲートにおける電圧は、容量Ｃ１に蓄積される。アドレス期間が、終了してしまった、即ち、データ信号及び／又は選択信号が、もはや供給されないとき、第二のトランジスタＴ２のゲートにおける電圧は、容量Ｃ１によって供給された電圧によって実質的に一定のレベルに保持される。
【００４７】
上に述べられたもののように、本発明に従った電気輸送デバイスは、大きい面積の電子機器を使用することで好都合に製造されることがある。しかしながら、このような大きい面積の電子機器に基づいた一定の電流の源のアレイは、基体を横切った、能動的な素子、例．トランジスタ、の性能における不均一性を呈示することがある。例えば、ＬＴＰＳ技術の事例においては、移動度因子Ｍｆ及びトランジスタの閾値電圧Ｖｔの両方が、（相互に付近に位置を定められたトランジスタについてもまた）ランダムに変動することは、知られたことである。例として、図６を参照すると、仮にＬＴＰＳトランジスタが、二つのトランジスタを備える相互コンダクタンス回路に基づいた局在化させられた電流源として使用されたとすれば、各々の電流源の出力は、
Ｉｏｕｔ＝β・Ｍｆ・（Ｖｓ−Ｖｇａｔｅ−Ｖｔ）２          （式２）
によって定義されるであろうが、それにおいて、Ｉｏｕｔは、出力電流である、βは、定数である、Ｍｆは、移動度因子である、Ｖｇａｔｅは、電流源のトランジスタのゲートにおける電圧であると共に、Ｖｔは、電流源のトランジスタの閾値電圧である。
【００４８】
図７は、閾値電圧Ｖｔのランダムな変動が、閾値電圧補償回路によって少なくとも部分的に補償される制御回路ＣＣの第三の実施形態を図解する。図解された閾値電圧補償回路が、単に例示的な実施形態であることは、留意されることである。他の適切な回路が、当技術において知られると共に同様に用いられることがある。
【００４９】
図７に図解された第三の実施形態は、第一のトランジスタＴ１、それのゲートは、第一の選択ラインＳＬ１へ接続されると共に、それのソースは、データラインＤＬへ接続される；第二のトランジスタＴ２、それのソースは、動力供給電圧Ｖｓへ接続される；第三のトランジスタＴ３、それのゲートは、第二の選択ラインＳＬ２へ接続される、それのソースは、第二のトランジスタＴ２のゲートへ接続されると共に、それのドレインは、第二のトランジスタＴ２のドレインへ接続される；及び、第四のトランジスタＴ４、それのゲートは、第三の選択ラインＳＬ３へ接続される、それのソースは、第二のトランジスタＴ２のドレインへ接続されると共に、それのドレインは、薬物送達素子ＤＤＥの電極へ接続される；を備える。さらに、第三の実施形態は、動力供給電圧Ｖｓ及び第一のトランジスタＴ１のドレインの間に接続された第一の容量Ｃ１並びに第一のトランジスタＴ１のドレイン及び第二のトランジスタＴ２のゲートの間に接続された第二の容量Ｃ２を備える。
【００５０】
動作中に、第一のトランジスタＴ１及び第三のトランジスタＴ３が、それぞれ、第一の及び第二の選択ラインＳＬ１及びＳＬ２における適切な選択信号によって導電性のものに切り替えられる一方で、電力供給電圧Ｖｓというような、基準電圧は、データラインＤＬに供給される。そして、第四のトランジスタＴ４は、第三の選択ラインＳＬ３における適切な選択信号によってパルス化されるが、それによって第二のトランジスタＴ２を導電性のものに切り替えるものである。第三の選択ラインＳＬ３におけるパルス化された選択信号の後に、第二のトランジスタＴ２は、第二のトランジスタＴ２の閾値電圧Ｖｔまで第二の容量Ｃ２を帯電させる。第二の選択ラインＳＬ２における選択信号を変化させることによって第三のトランジスタＴ３を非導電性のものに切り替えることは、第二のトランジスタＴ２の閾値電圧が第二の容量Ｃ２に蓄積されることを引き起こす。
【００５１】
第二のトランジスタＴ２の閾値電圧Ｖｔが、第二の容量Ｃ２に蓄積されるとき、データラインＤＬの基準電圧は、データ信号、即ち、データ電圧、へ変化させられる。データ電圧が、供給されるとき、データ電圧は、第一の容量Ｃ１に蓄積される。その結果として、第二のトランジスタＴ２のゲート−ソース電圧は、第一の容量Ｃ１に蓄積されたもののような、データ電圧、プラス、第二の容量Ｃ２に蓄積されたもののような、第二のトランジスタＴ２の閾値電圧Ｖｔ、に実質的に等しいものである。第二のトランジスタＴ２によって供給された電流は、ゲート−ソース電圧、マイナス、閾値電圧Ｖｔの平方に比例するものである（式２を見ること）。このように、閾値電圧Ｖｔが、第二の容量Ｃ２に閾値電圧Ｖｔを最初に蓄積することによって式から除去される際には、出力電流は、閾値電圧Ｖｔに独立なものである。
【００５２】
図８は、閾値電圧Ｖｔ及び電流源トランジスタの移動度因子Ｍｆにおける不均一性を少なくとも部分的に補償するための、閾値電圧補償回路及び移動度因子補償回路の両方を備える制御回路ＣＣの第四の実施形態を図解する。図解された閾値電圧補償回路及び移動度因子補償回路が、単に例示的な実施形態であることは、留意されることである。他の適切な回路は、当技術において知られると共に、同様に用いられることがある。
【００５３】
図８に図解された第四の実施形態は、第一のトランジスタＴ１、それのゲートは、選択ラインＳＬ１へ接続される；第二のトランジスタＴ２、それのソースは、動力供給電圧Ｖｓへ接続される、それのゲートは、第一のトランジスタＴ１のドレインへ接続されると共に、それのドレインは、第一のトランジスタＴ１のソースへ接続される；第三のトランジスタＴ３、それのゲートは、選択ラインＳＬ１へ接続される、それのドレインは、第一のトランジスタＴ１のソースへ接続されると共に、それのソースは、データラインＤＬへ接続される；及び、第四のトランジスタＴ４、それのゲートは、選択ラインＳＬ１へ接続される、それのソースは、第二のトランジスタＴ２のドレインへ接続されると共に、それのドレインは、薬物送達素子ＤＤＥの電極へ接続される；を備える。さらに、制御回路ＣＣは、動力供給電圧Ｖｓ及び第一のトランジスタＴ１のドレインの間に接続された容量Ｃ１を備える。
【００５４】
動作中に、アドレス期間の間に、第一の及び第三のトランジスタＴ１、Ｔ３は、選択ラインＳＬにおける適切な選択信号によって導電性のものに切り替えられる。選択信号は、同時に第四のトランジスタＴ４を非導電性のものに切り替える。データラインＤＬは、本実施形態においてはデータ電流である、データ信号を供給する。データ電流は、第二のトランジスタＴ２を通じてデータ電流を通過させるために十分な電圧まで容量Ｃ１を帯電させる。そして、選択ラインＳＬにおける選択信号は、取り除かれるが、それの結果として第一の及び第三のトランジスタＴ１、Ｔ３は、非導電性のものに切り替えられるが、それによって第四のトランジスタＴ４を導電性のものに切り替えるものである。このように、電流は、第四のトランジスタＴ４を通じて薬物送達素子ＤＤＥに向かって通過することがある。このように、移動度因子Ｍｆ及び電流源トランジスタＴ２の閾値電圧Ｖｔは、少なくとも部分的に補償されるが、それによって、均一な電流が薬物送達素子ＤＤＥへ送達されることを引き起こすものである。
【００５５】
図９Ａ−９Ｂは、本発明に従った電気輸送デバイスの第五の実施形態を図解する。図解された実施形態においては、陽極の区画ＡＮは、陽極としての少なくとも一つの電極ＥＬを備える；陰極の区画ＣＡは、陰極としての少なくとも一つの電極ＥＬを備える。図９Ｂを参照すると、陽極の区画ＡＮは、さらにある数のリザーバＲ１−Ｒ３を備える。各々のリザーバＲ１−Ｒ３は、皮膚ＳＫを通じた経皮的な送達による患者の体への送達のために、薬物、皮膚浸透エンハンサー、抗炎症剤、及び同様のものというような、化学物質を保持することがある。第一のリザーバＲ１において保持された化学物質を送達する為には、例えば、第一のリザーバＲ１は、陽極の区画ＡＮの中へ化学物質を解放することを必要とする。そして、化学物質は、陽極の区画ＡＮ及び陰極の区画ＣＡを使用することでイオン泳動を通じて送達されることがある。化学物質を解放する為には、電気的な信号は、リザーバＲ１へ供給される。この目標のために、リザーバＲ１は、本発明に従ったアクティブマトリックスのトポロジーを通じて駆動の回路へ接続されることがある電極を備える。ある数のリザーバＲ１−Ｒ３が、同様に、患者へ送達される化学物質に依存することで、陰極の区画ＣＡ、又は区画ＡＮ、ＣＡの両方、に提供されることがあることは、留意されることである。
【００５６】
リザーバＲ１−Ｒ３を制御するためのある数の技術は、利用可能なものである。例えば、密閉された体積の化学物質をシールする薄い蓋は、電圧ポテンシャル又は電流を使用することで空けられることがあるが、それによってもしかすると一度にリザーバに保持された全ての化学物質の材料を解放するものである。あるいは、リザーバは、スポンジに類似して、関心のある化学物質を保持する化学的に架橋された高分子電解質（例．ポリアクリル酸塩）というような、ゲルを備えることがある。電圧又は電流信号の印加の際に、ゲルは、それが、送達のための陽極の又は陰極の区画において利用可能なものになるというように、少なくとも化学物質の部分を解放するために‘圧迫された’ものであることがある。電解質が、電極の近くに生じることができると、ＡＣの電場は、好ましいものである。別の機構は、次には電圧又は電流信号の印加によって引き起こされることがある、温度の変動の際における溶媒／重合体の相互作用パラメーターの変動である。典型的には、ゲルが、温度の増加の際に解膨潤すると共に溶媒を追い出す上部臨界完溶温度（upper  critical  solution  temperature）（ＵＣＳＴ）の架橋された重合体システムは、使用される。このように、電気的な信号は、解放される化学物質の量を決定することがある。
【図面の簡単な説明】
【００５７】
【図１】図１は、先行技術のイオン泳動的なデバイスを概略的に示す。
【図２】図２Ａ−２Ｂは、本発明に従った電気輸送デバイスの、相対的に、第一の及び第二の実施形態の上面図を概略的に示す。図２Ｃ−２Ｄは、それぞれ、図２Ａ−２Ｂに従った電気輸送デバイスの第一の及び第二の実施形態の断面図を概略的に示す。
【図３】図３Ａ−３Ｂは、本発明に従った電気輸送デバイスの、それぞれ、第三の及び第四の実施形態の上面図を概略的に示す。図３Ｃ−３Ｄは、それぞれ、図３Ａ−３Ｂに従った電気輸送デバイスの第三の及び第四の実施形態の断面図を概略的に示す。
【図４】図４は、本発明に従った電気輸送デバイスにおける使用のためのアクティブマトリックスのトポロジーを概略的に図解する。
【図５】図５は、図４に従ったアクティブマトリックスのトポロジーにおける使用のための制御回路の第一の実施形態を概略的に図解する。
【図６】図６は、図４に従ったアクティブマトリックスのトポロジーにおける使用のための制御回路の第二の実施形態を概略的に図解する。
【図７】図７は、図４に従ったアクティブマトリックスのトポロジーにおける使用のための制御回路の第三の実施形態を概略的に図解する。
【図８】図８は、図４に従ったアクティブマトリックスのトポロジーにおける使用のための制御回路の第四の実施形態を概略的に図解する。
【図９】図９Ａは、本発明に従った電気輸送デバイスの第五の実施形態の上面図を概略的に示す。図９Ｂは、図９Ａに従った電気輸送デバイスの第五の実施形態の断面図を概略的に示す。
【図１】
2009540906.tif 000003
【図２Ａ】
2009540906.tif 000004
【図２Ｂ】
2009540906.tif 000005
【図２Ｃ】
2009540906.tif 000006
【図２Ｄ】
2009540906.tif 000007
【図３Ａ】
2009540906.tif 000008
【図３Ｂ】
2009540906.tif 000009
【図３Ｃ】
2009540906.tif 000010
【図３Ｄ】
2009540906.tif 000011
【図４】
2009540906.tif 000012
【図５】
2009540906.tif 000013
【図６】
2009540906.tif 000014
【図７】
2009540906.tif 000015
【図８】
2009540906.tif 000016
【図９Ａ】
2009540906.tif 000017
【図９Ｂ】
2009540906.tif 000018
【国際調査報告】
2009540906.tif 000019
2009540906.tif 000020
2009540906.tif 000021